(57)【特許請求の範囲】
【請求項１】
試料へ放射線を照射する照射部と、試料から発生する放射線を検出する柱状の放射線検出器とを備える放射線検出装置において、
前記照射部が試料へ照射する放射線の照射軸周りに、一端面を試料上の放射線の照射位置へ対向させるように前記放射線検出器が三個以上配置され、前記照射軸に直交する平面に各放射線検出器の中心軸が非直角に交差しており、
前記放射線検出器の夫々は、前記平面上の直線の内で前記中心軸に直交する直線に平行な方向の長さが、前記中心軸に沿って所定の位置から前記一端面にかけて連続的に減少しており、
前記放射線検出器の夫々は、前記方向の長さが減少している部分では、前記中心軸に直交する平面内での前記方向の長さが試料に近くなるほど長いこと
を特徴とする放射線検出装置。
【請求項２】
前記放射線検出器の夫々は、周面の内で他の放射線検出器に近接する部分が平面状になっていること
を特徴とする請求項１に記載の放射線検出装置。
【請求項３】
試料から発生する放射線を検出する柱状の放射線検出器を備える放射線検出装置において、
所定の軸周りに、一端面を試料へ対向させるように前記放射線検出器が三個以上配置され、前記所定の軸に直交する平面に各放射線検出器の中心軸が非直角に交差しており、
前記放射線検出器の夫々は、前記平面上の直線の内で前記中心軸に直交する直線に平行な方向の長さが、前記中心軸に沿って所定の位置から前記一端面にかけて連続的に減少しており、
前記放射線検出器の夫々は、前記方向の長さが減少している部分では、前記中心軸に直交する平面内での前記方向の長さが試料に近くなるほど長いこと
を特徴とする放射線検出装置。
【請求項４】
放射線が通過する窓を一端に設けた柱状の放射線検出器において、
中心軸に直交する所定の直線に平行な方向の長さが、前記中心軸に沿って所定の位置から前記一端にかけて連続的に減少しており、
前記方向の長さが減少している部分では、前記中心軸に直交する平面内での前記方向の長さが、前記方向に直交する方向に沿って一端から他端へ向けて単調に増加又は減少していること
を特徴とする放射線検出器。
【発明の詳細な説明】
【技術分野】
【０００１】
本発明は、複数の放射線検出器を用いた放射線検出装置及び放射線検出器に関する。
【背景技術】
【０００２】
Ｘ線等の放射線を検出する放射線検出器には、半導体製の放射線検出素子を用いて放射線を検出するものがある。放射線検出素子は密閉された筒状のハウジング内に配置されており、放射線検出器１は全体として柱状になっている。このような構成の放射線検出器は、特許文献１に記載されている。
【０００３】
放射線検出器を用いた放射線検出装置には、試料へ電子線又はＸ線等の放射線を照射し、放射線を照射された試料から発生した放射線を放射線検出器により検出するものがある。このような放射線検出装置は、例えば蛍光Ｘ線分析装置である。試料からの放射線を高効率で検出するために、複数の放射線検出器を用いて放射線を検出する放射線検出装置が開発されている。
【先行技術文献】
【特許文献】
【０００４】
【特許文献１】特開２００７−１４７５９５号公報
【発明の概要】
【発明が解決しようとする課題】
【０００５】
放射線検出装置で試料からの放射線の検出効率をより高めるためには、放射線検出器をより試料に近づければよい。しかしながら、複数の放射線検出器を用いた放射線検出装置では、放射線検出器を試料に近づけ過ぎた場合は、放射線検出器同士が干渉し合う。従って、放射線検出器を試料に近づけることによる放射線検出の高効率化には限界がある。
【０００６】
本発明は、斯かる事情に鑑みてなされたものであって、その目的とするところは、従来よりも放射線検出器を試料に近づけることを可能にして、放射線検出の効率を向上させた放射線検出装置及び放射線検出器を提供することにある。
【課題を解決するための手段】
【０００７】
本発明に係る放射線検出装置は、試料へ放射線を照射する照射部と、試料から発生する放射線を検出する柱状の放射線検出器とを備える放射線検出装置において、前記照射部が試料へ照射する放射線の照射軸周りに、一端面を試料上の放射線の照射位置へ対向させるように前記放射線検出器が三個以上配置され、前記照射軸に直交する平面に各放射線検出器の中心軸が非直角に交差しており、前記放射線検出器の夫々は、前記平面上の直線の内で前記中心軸に直交する直線に平行な方向の長さが、前記中心軸に沿って所定の位置から前記一端面にかけて連続的に減少しており、前記放射線検出器の夫々は、前記方向の長さが減少している部分では、前記中心軸に直交する平面内での前記方向の長さが試料に近くなるほど長いことを特徴とする。
【０００８】
本発明に係る放射線検出装置は、前記放射線検出器の夫々は、周面の内で他の放射線検出器に近接する部分が平面状になっていることを特徴とする。
【０００９】
本発明に係る放射線検出装置は、試料から発生する放射線を検出する柱状の放射線検出器を備える放射線検出装置において、所定の軸周りに、一端面を試料へ対向させるように前記放射線検出器が三個以上配置され、前記所定の軸に直交する平面に各放射線検出器の中心軸が非直角に交差しており、前記放射線検出器の夫々は、前記平面上の直線の内で前記中心軸に直交する直線に平行な方向の長さが、前記中心軸に沿って所定の位置から前記一端面にかけて連続的に減少しており、前記放射線検出器の夫々は、前記方向の長さが減少している部分では、前記中心軸に直交する平面内での前記方向の長さが試料に近くなるほど長いことを特徴とする。
【００１０】
本発明に係る放射線検出器は、放射線が通過する窓を一端に設けた柱状の放射線検出器において、中心軸に直交する所定の直線に平行な方向の長さが、前記中心軸に沿って所定の位置から前記一端にかけて連続的に減少しており、前記方向の長さが減少している部分では、前記中心軸に直交する平面内での前記方向の長さが、前記方向に直交する方向に沿って一端から他端へ向けて単調に増加又は減少していることを特徴とする。
【００１１】
本発明においては、放射線検出装置は、試料へ照射する放射線の照射軸周りに、三個以上の柱状の放射線検出器を、一端面を放射線の照射位置へ対向させるようにして配置してある。照射軸に直交する平面と放射線検出器の中心軸とは非直角に交差している。放射線検出器では、照射軸に直交する平面上の直線の内で放射線検出器の中心軸に直交する直線に平行な方向の長さが、中心軸に沿った途中の位置から端面にかけて連続的に減少している。照射軸周りの各放射線検出器の長さが端面に近づくほど減少し、放射線検出器同士が干渉し難く、従来よりも放射線検出器を試料に近づけることができる。また、放射線検出器は、前記方向の長さが中心軸に沿って連続的に減少している部分での中心軸に直交する平面内では、前記方向の長さが試料に近くなるほど長くなっている。照射軸周りに複数の放射線検出器を配置した状態で互いに干渉しやすい部分を短くし、互いに干渉し難い部分を長くしている。これにより、放射線検出器を試料へ近づけながら、中心軸に直交する放射線検出器の面積を可及的に大きくすることができる。
【００１２】
また、本発明においては、放射線検出器の周面の内で他の放射線検出器に近接する部分が平面状になっている。他の放射線検出器に近接する部分が曲面状になっている場合と比べて、放射線検出器間の距離を変えずに、中心軸に直交する放射線検出器の面積を大きくすることができる。
【発明の効果】
【００１３】
本発明にあっては複数の放射線検出器は、従来よりも試料に近づくように配置され、高効率で試料からの放射線を検出することが可能である。従って、放射線検出装置は、高感度で放射線を検出することが可能となる等、本発明は優れた効果を奏する。
【図面の簡単な説明】
【００１４】
【図１】放射線検出装置の構成を示すブロック図である。
【図２】放射線検出器の模式的断面図である。
【図３】複数の放射線検出器の配置例を示す模式的平面図である。
【図４】一つの放射線検出器の模式的側面図である。
【図５】一つの放射線検出器の模式的平面図である。
【図６】端面を正面にした放射線検出器の模式的正面図である。
【発明を実施するための形態】
【００１５】
以下本発明をその実施の形態を示す図面に基づき具体的に説明する。
図１は、放射線検出装置の構成を示すブロック図である。放射線検出装置は、例えば蛍光Ｘ線分析装置である。放射線検出装置は、電子線又はＸ線等の放射線を試料６へ照射する照射部４と、平板状の試料６が保持される試料台５と、複数の放射線検出器１とを備えている。図１には二個の放射線検出器１を示しているが、放射線検出装置は三個以上の放射線検出器１を備えている。照射部４から試料６へ放射線が照射され、試料６では蛍光Ｘ線等の放射線が発生し、放射線検出器１は試料６から発生した放射線を検出する。図中には、放射線を矢印で示している。試料６上で放射線を照射される照射位置を６１で示している。放射線検出器１は、検出した放射線のエネルギーに比例した信号を出力する。放射線検出器１には、出力した信号を処理する信号処理部２が接続されている。信号処理部２は、放射線検出器１が出力した各値の信号をカウントし、放射線のエネルギーとカウント数との関係、即ち放射線のスペクトルを生成する処理を行う。信号処理部２は、複数の放射線検出器１での検出結果を加算したスペクトルを生成してもよく、複数の放射線検出器１での検出結果を平均したスペクトルを生成してもよい。信号処理部２及び照射部４は、放射線検出装置全体を制御する制御部３に接続されている。制御部３は、信号処理部２及び照射部４の動作を制御する。
【００１６】
図２は、放射線検出器１の模式的断面図である。放射線検出器１は、板状のベース１６を備えている。ベース１６の一面側には、キャップ状のカバー７が被さっている。カバー７は、円筒の一端に切頭錐体が連結した形状になっており、円筒の他端はベース１６に接合している。ベース１６にカバー７が連結していることで、放射線検出器１は全体的に柱状になっている。ベース１６及びカバー７は、鉄等の金属製であり、溶接されている。カバー７の先端の端面７１には、ベリリウム等の放射線を通過させる材料で形成された平板状の窓１８が設けられている。カバー７の内側は、密閉されており、減圧されているか、又は不活性ガスが充填されている。
【００１７】
カバー７の内側には、筒状のコリメータ１１と、半導体製の放射線検出素子１２と、配線基板１３と、ペルチェ素子１４とが配置されている。放射線検出素子１２は、例えばＳＤＤ（Silicon Drift Detector）である。放射線検出素子１２は、板状であり、配線基板１３の表面に実装されており、窓１８に対向する位置に配置されている。コリメータ１１は、放射線を遮蔽する材料で両端が開口した筒状に形成されており、放射線検出素子１２と窓１８との間に配置されている。コリメータ１１の一端は窓１８に対向しており、他端は放射線検出素子１２の表面に接している。コリメータ１１は、窓１８を通過した放射線の一部を遮蔽し、放射線検出素子１２は、コリメータ１１で遮蔽されなかった放射線を検出する。放射線検出素子１２の窓１８に対向した表面の内、コリメータ１１の内側の部分は、検出すべき放射線の入射面である。
【００１８】
配線基板１３の裏面には、ペルチェ素子１４の吸熱部分が熱的接触している。ペルチェ素子１４の放熱部分は、ベース１６の内面に対向している。また、放射線検出器１は、ペルチェ素子１４の放熱部分に熱的接触したコールドフィンガー１５を備えている。コールドフィンガー１５は、熱伝導率が高い材料で形成されている。コールドフィンガー１５は、ペルチェ素子１４の放熱部分に熱的接触した板状部分と、板状部分からベース１６へ向けて突出したボルト状部分とを含んで構成されている。コールドフィンガー１５のボルト状部分は、ベース１６を貫通しており、ベース１６の外面から突出している。配線基板１３及びペルチェ素子１４、並びにペルチェ素子１４及びコールドフィンガー１５は、互いに直接接触していてもよく、間に熱伝導材を介在させていてもよい。ベース１６の外面から突出したコールドフィンガー１５のボルト状部分は、放射線検出器１１外の放熱部に連結される。放熱部は例えば放熱板である。放射線検出素子１２は、配線基板１３を通してペルチェ素子１４によって冷却され、放射線検出素子１２の熱は、ペルチェ素子１４からコールドフィンガー１５へ伝導し、放熱部から放熱される。更に、ベース１６を貫通して、電力の供給及び信号の入出力のための複数のリードピン１９が設けられている。
【００１９】
図３は、複数の放射線検出器１の配置例を示す模式的平面図である。図３には、放射線検出装置が四個の放射線検出器１を備えた例を示している。照射部４が試料６へ照射する放射線の照射軸は、図３に直交している。各放射線検出器１は、全体として柱状であり、一端に窓１８が設けられている。図３では、放射線検出器１が備えるコールドフィンガー１５及びリードピン１９を省略している。照射部４が照射する放射線の照射軸周りに、複数の放射線検出器１が配置されている。各放射線検出器１は、放射線の照射軸に直交する平面に各放射線検出器１の中心軸が非直角に交差するようになっており、試料６上の放射線の照射位置６１に窓１８が対向するように配置されている。放射線照射によって試料６から発生する放射線は、複数の方向に放射されるので、照射軸の周囲に複数の放射線検出器１を配置しておくことによって、発生した放射線がいずれかの放射線検出器１へ入射する割合が高く、放射線検出装置で放射線を検出する効率が高い。後述するように、放射線検出器１は先細りの形状になっているが、中心軸は、放射線検出器１の先細りになっていない部分の断面の中心又は重心を通る軸である。放射線検出器１の中心軸は、放射線検出素子１２の入射面に直交していることが望ましく、また、放射線検出素子１２の入射面の中心又は重心を通っていてもよい。なお、放射線検出装置が備える放射線検出器１の数は三個であってもよく、五個以上であってもよい。
【００２０】
図４は、一つの放射線検出器１の模式的側面図であり、図５は、一つの放射線検出器１の模式的平面図である。図６は、端面７１を正面にした放射線検出器１の模式的正面図である。図４及び図５では、コールドフィンガー１５及びリードピン１９を省略している。図４中には、照射部４が試料６へ照射する放射線の照射軸４１を実線矢印で示し、放射線検出器１の中心軸１０を一点鎖線で示している。中心軸１０は図６に直交している。また、図５及び図６には、照射軸４１に直交する平面上の直線の内で中心軸１０に直交する直線に平行な方向を破線矢印で示している。照射軸４１に沿った方向を縦方向とすると、破線矢印で示した方向は横方向である。中心軸１０に直交する横方向は、図４に直交する方向である。図５に示すように、カバー７の横方向の長さは、中心軸１０に沿って所定の位置から端面７１にかけて連続的に減少している。照射軸４１周りのカバー７の大きさが端面７１に近づくほど縮小するので、図３に示す如く照射軸４１周りに複数の放射線検出器１を配置した場合に、複数の放射線検出器１のカバー７同士が干渉し難い。従って、従来よりも端面７１が試料６に近づくように複数の放射線検出器１を配置することが可能となっている。
【００２１】
カバー７の周面の内、カバー７の横方向の長さが中心軸１０に沿って連続的に減少している部分の周面は、他の放射線検出器１に近接する近接部分７２となっている。近接部分７２は、平面状になっている。図５及び図６に示すように、放射線検出器１は、他の放射線検出器１が両隣に近接できるように、近接部分７２が二か所に形成されている。二つの近接部分７２は平行ではなく、中心軸１０に直交する平面内で互いに５°以上傾いており、望ましくは１０°以上傾いている。近接部分７２が平面状になっていることで、近接部分７２が曲面状になっている場合と比べて、放射線検出器１間の距離を変えずに、中心軸１０に直交する放射線検出器１の面積を大きくすることができる。
【００２２】
図６では、放射線検出器１の各部分の内、下側の部分が、試料６に近くなる部分である。カバー７の端面７１では、横方向の長さが試料６に近くなるほど長くなっている。同様に、カバー７の横方向の長さが中心軸１０に沿って連続的に減少している部分では、中心軸１０に直交する平面内での横方向の長さがその平面内で試料６に近くなるほど長くなっている。二つの近接部分７２は、照射軸４１に直交する平面上の直線の内で中心軸１０に直交する直線に対して、互いの距離が試料６に近くなるほど長くなるように傾いている。このため、二つの近接部分７２の間の距離は、試料６に近くなるほど長くなっている。窓１８の表面と中心軸１０との交点を通り照射軸４１に直交する平面で窓１８の表面を分割した場合は、試料６に近い部分の表面積が試料６から遠い部分の表面積よりも大きい。窓１８の表面形状は台形であることが望ましい。図３に示す如く、端面７１を照射位置６１に対向させ、照射軸６１に直交する平面に中心軸１０が非直角に交差するように複数の放射線検出器１を照射軸４１周りに配置した状態では、放射線検出器１は比較的に試料６から遠い部分で互いに干渉しやすい。放射線検出器１は、横方向の長さを、互いに干渉しやすい試料６から遠い部分で短くし、互いに干渉し難い試料６に近い部分で長くしている。このため、端面７１を試料６に近づけた状態で、端面７１の面積及び中心軸１０に直交する放射線検出器１の面積を可及的に大きくすることができる。端面７１の面積を大きくすることで、窓１８の面積を大きくすることができ、放射線が放射線検出器１へ入射する割合が高くなる。中心軸１０に直交する放射線検出器１の面積を大きくすることで、カバー７内に配置された放射線検出素子１２の面積を大きくすることができ、放射線検出の効率が高くなる。放射線検出の効率を高くするためには、コリメータ１１及び放射線検出素子１２の窓１８に対向した部分の形状は、カバー１７の内面に沿った形状であることが望ましい。
【００２３】
以上詳述した如く、放射線検出装置は、試料６へ照射する放射線の照射軸４１周りに複数の放射線検出器１を配置しており、照射軸４１周りの各放射線検出器１の大きさが端面７１に近づくほど縮小している。複数の放射線検出器１のカバー７同士が干渉し難く、従来よりも放射線検出器１を試料６に近づけることができる。試料６からの放射線がいずれかの放射線検出器１へ入射する割合が高くなり、放射線検出装置で放射線を検出する効率が高くなる。従って、放射線検出装置は、高感度で放射線を検出することができ、より高精度に試料６の分析を行うことが可能となる。
【００２４】
また、本実施の形態においては、放射線検出器１の周面の内で他の放射線検出器１に近接する近接部分７２は、平面状になっている。また、放射線検出器１の端面７１付近の中心軸１０に直交する平面内では、照射軸４１に平行な方向を縦方向とした横方向の長さがその平面内で試料６に近くなるほど長くなっている。これによって、放射線検出器１を試料６に近づけながらも、放射線が入射する窓１８の面積を可及的に大きく確保し、中心軸１０に直交する放射線検出器１の面積を可及的に大きく確保することができる。従って、放射線検出器１で放射線を検出する効率がより高くなり、放射線検出装置は、より高感度で放射線を検出することができる。
【００２５】
なお、本実施の形態においては、照射軸４１の周りに複数の放射線検出器１が配置された形態を示したが、放射線検出装置は、複数の放射線検出器１が照射軸４１以外の所定の軸の周りに配置されている形態であってもよい。例えば、放射線検出装置は、所定の軸の周りに複数の放射線検出器１が配置されており、所定の軸に対して傾斜した方向から、又は放射線検出器１と試料６との間を通って試料６へ放射線を照射する形態であってもよい。また、放射線検出装置は、試料６の裏側へ放射線を照射する形態であってもよい。
【符号の説明】
【００２６】
１  放射線検出器
１０  中心軸
１１  コリメータ
１２  放射線検出素子
１６  ベース
１８  窓
２  信号処理部
３  制御部
４  照射部
４１  照射軸
５  試料台
６  試料
７  カバー
７１  端面
７２  近接部分
【図１】
0006475557.tif 000002
【図２】
0006475557.tif 000003
【図３】
0006475557.tif 000004
【図４】
0006475557.tif 000005
【図５】
0006475557.tif 000006
【図６】
0006475557.tif 000007